(57)【特許請求の範囲】
【請求項１】
放射線画像情報が記録された蓄積性蛍光体シートを収容してかつ着脱自在な蓋体を有する容器が、前記蓋体を上として載置される載置台と、
前記蓋体が除去されることにより露呈した前記蓄積性蛍光体シートに対して、上部から励起光を照射する変位可能な励起光照射手段と、
前記励起光が照射された前記蓄積性蛍光体シートが発する輝尽発光光を上部から集光する変位可能な集光手段と、
集光された前記輝尽発光光を電気信号に変換する光−電気信号変換機構と、
前記載置台の下部に配設され、前記蓄積性蛍光体シートを収容した前記容器を前記励起光照射手段および前記集光手段に対して近接離間させるべく、前記載置台を鉛直方向に昇降する昇降機構と、
を備え、
前記蓄積性蛍光体シートを前記容器内に収容した状態で、前記励起光照射手段を前記蓄積性蛍光体シートに臨ませて水平方向に変位させながら前記励起光を照射するとともに、前記集光手段を水平方向に変位させながら前記光−電気信号変換機構により放射線画像情報を読み取ることを特徴とする横置型画像情報読取装置。
【請求項２】
請求項１記載の装置において、前記励起光照射手段と前記集光手段とを互いに連結することにより、該励起光照射手段と該集光手段とを水平方向に一体的に変位させることを特徴とする横置型画像情報読取装置。
【発明の詳細な説明】
【０００１】
【発明の属する技術分野】
本発明は、蓄積性蛍光体シートに対して励起光を照射することにより該蓄積性蛍光体シートに記録された放射線画像情報の読み取りを行う画像情報読取装置に関する。
【０００２】
【従来の技術】
人体等の被写体の放射線画像情報を一旦記録して、この放射線画像情報を写真フイルム等の写真感光材料等に再生し、あるいは表示装置の画面に可視像として出力させるシステムとしては、例えば、蓄積性蛍光体（輝尽性蛍光体）を利用するものが知られている。
【０００３】
蓄積性蛍光体とは、該蓄積性蛍光体に照射された放射線（Ｘ線、α線、γ線、電子線、紫外線等）の放射線エネルギの一部を蓄積し、後に可視光等の励起光が照射された際、蓄積された放射線エネルギに応じて輝尽発光を示す蛍光体のことをいう。このような蓄積性蛍光体は、通常、シート状に成形されて蓄積性蛍光体シートとして使用されている。
【０００４】
上記システムとしては、例えば、蓄積性蛍光体シートに記録された放射線画像情報の読み取りを行う読み取り部と、読み取り処理後に前記蓄積性蛍光体シートに残存する放射線画像情報を消去する消去部とを備える画像情報読取装置が採用されている。この種の画像情報読取装置では、外部の撮影装置により被写体の放射線画像情報が記録された蓄積性蛍光体シートを収容するカセッテが装填部に挿入される。
【０００５】
このカセッテは、カセッテ本体と、該カセッテ本体に取り付けられた蓋体とを有し、該蓋体は取り付け箇所を中心として揺動動作される。この揺動動作に伴いカセッテ本体が開閉される。次いで、カセッテ本体が開放された状態で、シート体枚葉手段の作用下に前記カセッテから蓄積性蛍光体シートが取り出され、この蓄積性蛍光体シートがシート体搬送手段を介して読み取り部に搬送される。
【０００６】
通常、この読み取り部は前記装填部の鉛直下方に配置されており、このため、蓄積性蛍光体シートは、シート体搬送手段の作用下に、装填部から水平方向に搬送された後に湾曲されて鉛直下方へ搬送され、再び湾曲されて水平方向に搬送される。
【０００７】
読み取り部には、レーザ光を照射するレーザ光照射手段および集光手段が配置されている。このうち、集光手段は、光−電気信号変換機構が内蔵された光−電気信号変換部と、該光−電気信号変換部へと輝尽発光光を導く集光ガイドとを有する。集光ガイドはアクリル樹脂等からなり、前記蓄積性蛍光体シートに対向する部位は平板形状であるが、前記光−電気信号変換部に指向して湾曲され、さらに収束されている。前記光−電気信号変換部は、この収束部上端に装着されている。
【０００８】
レーザ光照射手段から照射されたレーザ光は、蓄積性蛍光体シートの画像記録面側に入射される。これにより該画像記録面から該画像に対応する輝尽発光光が発せられ、該輝尽発光光は集光ガイドに集光される。輝尽発光光はさらに、集光ガイドを介して光−電気信号変換部へと入力され、該光−電気信号変換部で電気信号に変換されて出力されるに至る。この電気信号は、例えば、表示装置に入力されて再び光信号に変換され、画像として出力される。
【０００９】
以上のような読み取り処理が施された蓄積性蛍光体シートは、消去部で残像の消去処理が行われた後、前記シート体枚葉機構の作用下に、装填部に配置されているカセッテ内に収容され、再利用に供される。
【００１０】
【発明が解決しようとする課題】
ところで、上記した画像情報読取装置には、読み取り部の他、前記シート体枚葉機構や前記シート体搬送機構が組み込まれて構成されている。このため、装置自体が大型なものとなり、重量も大となるという不具合が顕在化している。
【００１１】
本発明はこの種の問題を解決するためになされたもので、シート体枚葉機構やシート体搬送機構を特に必要とせず、このため、小型化かつ軽量化された画像情報読取装置を提供することを目的とする。
【００１２】
【課題を解決するための手段】
前記の目的を達成するために、本発明に係る横置型画像情報読取装置（以下、単に「画像情報読取装置」とも表記する）は、放射線画像情報が記録された蓄積性蛍光体シートを収容してかつ着脱自在な蓋体を有する容器が、前記蓋体を上として載置される載置台と、
前記蓋体が除去されることにより露呈した前記蓄積性蛍光体シートに対して、上部から励起光を照射する変位可能な励起光照射手段と、
前記励起光が照射された前記蓄積性蛍光体シートが発する輝尽発光光を上部から集光する変位可能な集光手段と、
集光された前記輝尽発光光を電気信号に変換する光−電気信号変換機構と、
前記載置台の下部に配設され、前記蓄積性蛍光体シートを収容した前記容器を前記励起光照射手段および前記集光手段に対して近接離間させるべく、前記載置台を鉛直方向に昇降する昇降機構と、
を備え、
前記蓄積性蛍光体シートを前記容器内に収容した状態で、前記励起光照射手段を前記蓄積性蛍光体シートに臨ませて水平方向に変位させながら前記励起光を照射するとともに、前記集光手段を水平方向に変位させながら前記光−電気信号変換機構により放射線画像情報を読み取ることを特徴とする。
【００１３】
すなわち、この画像情報読取装置においては、蓄積性蛍光体シートが容器内に収容された状態で励起光照射手段と集光手段とが変位され、蓄積性蛍光体シートに記録された放射線画像情報が読み取られる。このため、カセッテから蓄積性蛍光体シートを取り出しまたは蓄積性蛍光体シートをカセッテに収容するためのシート体枚葉機構や、蓄積性蛍光体シートを搬送するためのシート体搬送機構を組み込む必要がない。したがって、従来技術に係る画像情報読取装置に比して著しく小型かつ軽量な装置とすることができる。
【００１４】
そして、該昇降機構の作用下に蓄積性蛍光体シートに対して集光手段を接近させることにより、集光効率が向上する。その結果、画像のＳ／Ｎ比を向上することができる。
【００１５】
また、励起光照射手段と集光手段とが互いに連結されていることが好ましい。この場合、集光手段を変位させる変位機構を設置することなく該集光手段を励起光照射手段と一体的に変位させることができるからである。
【００１６】
さらに、前記容器が容器本体と蓋体とを有し、かつ前記蓋体は前記容器本体に対して着脱自在であることが好ましい。この場合、作業者が蓋体を着脱することにより画像情報読取装置の内部に挿入された容器を開閉することができるようになるので、蓋体を開閉する蓋体開閉手段を組み込むことなく画像情報読取装置を構成することができる。したがって、画像情報読取装置を一層小型化かつ軽量化することができるからである。
【００１７】
しかも、容器本体から蓋体を離脱させることにより蓄積性蛍光体シートの全体を露呈することができる。このため、蓄積性蛍光体シートに対して励起光を照射する際に該励起光が蓋体に遮られることがない。すなわち、蓄積性蛍光体シートの画像記録面の全領域に対して励起光を照射することができるので、該蓄積性蛍光体シートに記録された放射線画像情報を読み取ることができる。
【００１８】
【発明の実施の形態】
以下、本発明に係る画像情報読取装置につき好適な実施の形態を挙げ、添付の図面を参照して詳細に説明する。
【００１９】
本実施の形態に係る画像情報読取装置の概略全体斜視断面図を図１に示すとともに、その正面図を図２に示す。この画像情報読取装置１０は、昇降機構１２と、該昇降機構１２により昇降される載置台１４と、集光手段１６と、該集光手段１６が連結された励起光照射手段としてのレーザ光照射手段１８（図２参照）と、該レーザ光照射手段１８を変位させる変位機構２０（図１参照）とを備え、これらは全て装置本体２２の内部に収容されている。また、装置本体２２の一側面には開口２４が設けられており、該開口２４にはシャッタ部材２６が配置されている。このシャッタ部材２６が図示しないシャッタ部材開閉機構の作用下に昇降動作することに伴い、開口２４が開放または閉止される。
【００２０】
昇降機構１２は、図３に拡大して示すように、装置本体２２の底板上に設置された基台２７に位置決め固定された軸受部２８ａ〜２８ｄと、該軸受部２８ａ〜２８ｄに回転自在に支持された支軸３０ａ〜３０ｄと、該支軸３０ａ〜３０ｄを回転動作させるためのモータ３２ａ〜３２ｄとを具備し、支軸３０ａ〜３０ｄの先端部は、載置台１４の下方に配置されたブラケット部３４ａ〜３４ｄの内部に螺入されている。
【００２１】
モータ３２ａの回転軸３６にはウォーム３８が嵌合されており、かつ支軸３０ａにはウォーム３８と噛合するウォーム歯車４０が嵌合されている。このウォーム歯車４０の高さｈ１は、ウォーム３８の高さｈ２に比して大きく設定されている。
【００２２】
また、支軸３０ａの先端部には雄ねじ４２が形成されており、かつブラケット部３４ａの内部には雌ねじ４４が形成されている。支軸３０ａとブラケット部３４ａは、これら雄ねじ４２と雌ねじ４４とが噛合することにより互いに連結されている。
【００２３】
以上の構成は、残余の支軸３０ｂ〜３０ｄ、モータ３２ｂ〜３２ｄおよびブラケット部３４ｂ〜３４ｄにおいても同様であり、したがって、同一の構成要素には同一の参照符号を付してその詳細な説明を省略する。
【００２４】
載置台１４の四方の隅角部には、貫通孔４６に連通する凹部４８がそれぞれ設けられている。一方、ブラケット部３４ａ〜３４ｄにおける貫通孔４６に対応する位置にはボルト孔５０が設けられており、各ボルト孔５０には、凹部４８の底部にその頭部が着座することにより抜け止めがなされたボルト５２が螺入されている。ブラケット部３４ａ〜３４ｄは、このボルト５２によって載置台１４に連結されることにより該載置台１４を四方の隅角部から支持している。なお、各ボルト５２の頭部は凹部４８内に埋没している。
【００２５】
載置台１４上には、蓄積性蛍光体シートＳが収容されたカセッテ（容器）５４が載置される（図１および図２参照）。
【００２６】
図４に示すように、このカセッテ５４は、カセッテ本体５６と、該カセッテ本体５６に対して着脱自在な蓋体５８とを有し、蓄積性蛍光体シートＳはカセッテ本体５６の内部に収容されている。該カセッテ本体５６には溝６０が設けられており、蓋体５８はこの溝６０に摺動自在に嵌合されている。また、蓋体５８の一端部の略中央にはタブ部６２が突出形成されている。なお、この蓋体５８は、カセッテ５４が装置本体２２の内部に挿入された後にカセッテ本体５６から脱着される。
【００２７】
集光手段１６（図１および図２参照）は、ガラスやアクリル樹脂等の光透過性材料からなる集光ガイド６４と、光−電気信号変換機構を内蔵したフォトマルチプライヤ６６と、反射鏡６８とを有し、このうち、フォトマルチプライヤ６６は、励起光分離フィルタ７０を介して集光ガイド６４の上方に装着されている。
【００２８】
集光ガイド６４は、その先端部がレーザ光Ｌの照射位置近傍に位置するように配置されている。蓄積性蛍光体シートＳの画像記録面から発せられた輝尽発光光は、この集光ガイド６４により集光され、フォトマルチプライヤ６６に導かれた後、前記光−電気信号変換機構にて電気信号に変換されて出力される。
【００２９】
反射鏡６８は、レーザ光Ｌを挟んで集光ガイド６４に対向する位置に配置されている。後述するように、集光ガイド６４と逆方向に発せられた輝尽発光光は、この反射鏡６８により集光ガイド６４に向けて反射され、結局、該集光ガイド６４により集光される。
【００３０】
レーザ光照射手段１８（図２参照）は、レーザ光源７２と、該レーザ光源７２から発せられたレーザ光Ｌを集束するレンズ系７３と、集束されたレーザ光Ｌを反射するレーザ光反射鏡７４と、これらを収容する光源収容ボックス７６とを有する。この光源収容ボックス７６の底面には開口７８が設けられており、レーザ光反射鏡７４で反射されたレーザ光Ｌは、この開口７８から光源収容ボックス７６の外部へと導出される。
【００３１】
レーザ光照射手段１８は、変位機構２０によって装置本体２２の内部で変位される。すなわち、光源収容ボックス７６の下方には連結板８０、８０（図１および図２参照）を介して案内部材８２が連結されており、該案内部材８２に設けられたねじ穴８４および貫通孔８６には、変位機構２０を構成するボールねじ８８およびリニアガイド９０が通されている（図１参照）。
【００３２】
変位機構２０は、さらにモータ９２を有し、ボールねじ８８は該モータ９２の作用下に回転動作する。後述するように、ボールねじ８８が回転動作することに伴い案内部材８２がリニアガイド９０に沿って変位し、これにより光源収容ボックス７６、すなわち、レーザ光照射手段１８が変位されるに至る。
【００３３】
以上の構成において、フォトマルチプライヤ６６は第１連結部材９４、９４を介して光源収容ボックス７６に連結されており、かつ反射鏡６８は第２連結部材９６、９６および案内部材８２を介して光源収容ボックス７６に連結されている。また、モータ９２およびリニアガイド９０は、装置本体２２内に橋架された図示しないフレームにより堅牢に支持されている。
【００３４】
本実施の形態に係る画像情報読取装置１０は基本的には以上のように構成されるものであり、次にその作用について説明する。
【００３５】
蓄積性蛍光体シートＳに記録された放射線画像情報をこの画像情報読取装置１０により読み取る際、作業者は以下のように作業を行うとともに画像情報読取装置１０を動作させる。
【００３６】
まず、図示しない前記シャッタ部材開閉機構を付勢してシャッタ部材２６を上昇させることにより画像情報読取装置１０の開口２４を開放し、図示しない撮影装置により人体等の被写体の撮影画像情報が蓄積記録された蓄積性蛍光体シートＳが収容されたカセッテ５４を載置台１４上に載置する。上記したように、各ボルト５２の頭部は各凹部４８内に埋没しており、したがって、載置台１４の上面から突出していないので、各ボルト５２によりカセッテ５４の載置が妨げられることはない。
【００３７】
そして、カセッテ５４を構成する蓋体５８のタブ部６２（図４参照）を把持し、該蓋体５８を溝６０に沿って摺動させてカセッテ本体５６から離脱させる。この離脱により、蓄積性蛍光体シートＳの画像記録面が露呈する。
【００３８】
次いで、前記シャッタ部材開閉機構を付勢してシャッタ部材２６を下降させた後、レーザ光照射手段１８（図１参照）を構成するレーザ光源７２からレーザ光Ｌを発する。このレーザ光Ｌは、レンズ系７３により集束され、かつレーザ光反射鏡７４にて反射された後、光源収容ボックス７６の開口７８から導出されて蓄積性蛍光体シートＳの画像記録面に対して略垂直な方向から照射される。
【００３９】
レーザ光Ｌが照射された蓄積性蛍光体シートＳの画像記録面からは、輝尽発光光が発せられる。この輝尽発光光は、集光手段１６を構成する集光ガイド６４により集光される。また、該集光ガイド６４と逆方向に発せられた輝尽発光光は、反射鏡６８により集光ガイド６４に向けて反射され、結局、該集光ガイド６４に集光される。
【００４０】
集光された輝尽発光光は、集光ガイド６４内を導波して励起光分離フィルタ７０に到達する。そして、該励起光分離フィルタ７０においてノイズに相当する成分が除去された後、フォトマルチプライヤ６６に至る。
【００４１】
輝尽発光光は、さらに、該フォトマルチプライヤ６６に内蔵された光−電気信号変換機構により電気信号に変換された後、図示しない表示装置へと出力される。そして、該表示装置内で光信号へと変換され、該表示装置の画面に画像として映し出される。
【００４２】
画像が得られた後、昇降機構１２（図３参照）のモータ３２ａ〜３２ｄを同時に付勢して各回転軸３６を回転動作させる。これにより、ウォーム３８およびウォーム歯車４０の作用下に支軸３０ａ〜３０ｄが回転動作する。
【００４３】
上記したように、支軸３０ａ〜３０ｄとブラケット部３４ａ〜３４ｄは、雄ねじ４２と雌ねじ４４とを介して互いに連結されている。このため、支軸３０ａ〜３０ｄが回転動作した場合、該支軸３０ａ〜３０ｄはブラケット部３４ａ〜３４ｄの内部に指向して前進、またはブラケット部３４ａ〜３４ｄから離脱する方向に指向して後退する。これによりブラケット部３４ａ〜３４ｄが上昇または下降し、結局、載置台１４が上昇または下降される。なお、ウォーム歯車４０の高さｈ１がウォーム３８の高さｈ２に比して大きく設定されているので、ブラケット部３４ａ〜３４ｄが昇降動作する際にウォーム３８がウォーム歯車４０から脱落することはない。
【００４４】
上記のようにして載置台１４を上昇させることにより、蓄積性蛍光体シートＳ（図１参照）に対して集光手段１６を接近させることができる。このため、集光効率を向上することができ、その結果、画像のＳ／Ｎ比を向上することができる。
【００４５】
載置台１４を上昇させた後、モータ９２を付勢してボールねじ８８を回転動作させることにより案内部材８２をモータ９２側に指向してリニアガイド９０に沿って変位させる。これにより該案内部材８２に連結された光源収容ボックス７６が変位されるとともに、該光源収容ボックス７６と一体的にフォトマルチプライヤ６６、集光ガイド６４および反射鏡６８も変位される。フォトマルチプライヤ６６および集光ガイド６４は第１連結部材９４を介して光源収容ボックス７６に連結されており、かつ反射鏡６８は第２連結部材９６および案内部材８２を介して光源収容ボックス７６に連結されているからである。
【００４６】
換言すれば、集光手段１６は、図５に示すように、レーザ光照射手段１８と一体的に変位される。このため、蓄積性蛍光体シートＳの全幅に亘ってレーザ光Ｌを照射することができ、かつ蓄積性蛍光体シートＳから発せられた輝尽発光光を集光することができる。
【００４７】
最終的に、レーザ光照射手段１８および集光手段１６が蓄積性蛍光体シートＳの後端部まで変位されると、蓄積性蛍光体シートＳの画像記録面の読み取りが終了する。
【００４８】
上記したように、蓋体５８がカセッテ本体５６から離脱されているので、蓄積性蛍光体シートＳの画像記録面は全て露呈している。したがって、レーザ光照射手段１８および集光手段１６が蓄積性蛍光体シートＳの後端部まで変位された際には、蓄積性蛍光体シートＳの画像記録面の全領域に対してレーザ光Ｌが照射されるとともに輝尽発光光が集光される。すなわち、蓄積性蛍光体シートＳに記録された放射線画像情報を読み取ることができる。
【００４９】
このようにして蓄積性蛍光体シートＳに記録された放射線画像情報の読み取りが終了した後にカセッテ５４を装置本体２２から取り出す場合、集光ガイド６４や反射鏡６８がカセッテ本体５６に当接することを回避する必要があれば昇降機構１２により載置台１４を下降させる。その後、前記シャッタ部材開閉機構によりシャッタ部材２６を上昇させ、蓋体５８をカセッテ本体５６の溝６０に嵌合する。この状態でカセッテ５４を装置本体２２から取り出すことにより１回の読み取り操作が終了され、蓄積性蛍光体シートＳが画像情報読取装置１０から離脱される。
【００５０】
このように、本実施の形態に係る画像情報読取装置１０においては、蓄積性蛍光体シートＳを搬送することなく該蓄積性蛍光体シートＳに記録された放射線画像情報を読み取ることができる。このため、カセッテ５４から蓄積性蛍光体シートＳを取り出しまたは蓄積性蛍光体シートＳをカセッテ５４に収容するためのシート体枚葉機構や、蓄積性蛍光体シートＳを読み取り部まで搬送するためのシート体搬送機構を組み込む必要がない。したがって、従来技術に係る画像情報読取装置に比して著しく小型かつ軽量な装置とすることができる。
【００５１】
さらに、カセッテ５４の蓋体５８の着脱（開閉）は作業者が行うので、蓋体５８を開閉する蓋体開閉機構を組み込むことなく画像情報読取装置１０を構成することができる。このため、該画像情報読取装置１０を一層小型化かつ軽量化することができる。
【００５２】
読み取り処理後に蓄積性蛍光体シートＳの放射線画像情報を消去処理する場合には、図示しない消去装置において、消去用光源を介して画像記録面に消去光を照射する。消去処理が行われた蓄積性蛍光体シートＳには、再び放射線画像情報を記録することが可能である。
【００５３】
なお、上記した実施の形態においては、レーザ光照射手段１８に集光手段１６を連結することにより該集光手段１６がレーザ光照射手段１８と一体的に変位されるようにしたが、変位機構２０を構成するモータ９２と同期して駆動する別のモータを有する第２の変位機構を設け、該第２の変位機構の作用下に集光手段１６が変位されるようにしてもよい。
【００５４】
また、この実施の形態では消去部を組み込まずに画像情報読取装置を構成したが、消去用光源と、該消去用光源を変位させる変位機構とを有する消去部を組み込んで画像情報読取装置を構成するようにしてもよい。前記変位機構としては、モータおよびボールねじを例示することができる。この場合、変位機構によって消去用光源が変位される際に消去光が蓄積性蛍光体シートＳの全幅に亘って照射されるようにすることはいうまでもない。
【００５５】
さらに、カセッテ５４が載置された載置台１４を昇降動作させなくとも良好な画像が得られる場合、昇降機構を組み込むことなく画像情報読取装置を構成するようにしてもよい。
【００５６】
【発明の効果】
以上説明したように、本発明に係る画像情報読取装置によれば、蓄積性蛍光体シートに対して励起光を照射する励起光照射手段と、蓄積性蛍光体シートが発した輝尽発光光を集光する集光手段とを変位させることにより、蓄積性蛍光体シートを容器内に収容した状態で、すなわち、蓄積性蛍光体シートを搬送することなく、該蓄積性蛍光体シートに記録された放射線画像情報を読み取るようにしている。このため、シート体枚葉機構やシート体搬送機構を組み込むことなく画像情報読取装置を構成することができるので、該画像情報読取装置を著しく小型化かつ軽量化することができるという効果が達成される。
【００５７】
また、前記容器の蓋体を着脱自在として蓋体開閉機構を組み込むことなく画像情報読取装置を構成するようにしているので、画像情報読取装置を一層小型化かつ軽量化することができる。
【図面の簡単な説明】
【図１】本実施の形態に係る画像情報読取装置の概略全体斜視断面図である。
【図２】図１の正面図である。
【図３】図１の画像情報読取装置が備える昇降機構の要部拡大一部縦断面図である。
【図４】蓄積性蛍光体シートを収容するカセッテの概略全体斜視図である。
【図５】レーザ光照射手段および集光手段が変位された状態を示す正面図である。
【符号の説明】
１０…画像情報読取装置              １２…昇降機構
１４…載置台                        １６…集光手段
１８…レーザ光（励起光）照射手段    ２０…変位機構
２２…装置本体                      ２８ａ〜２８ｄ…軸受部
３０ａ〜３０ｄ…支軸                ３２ａ〜３２ｄ、９２…モータ
３４ａ〜３４ｄ…ブラケット部        ３６…回転軸
３８…ウォーム                      ４０…ウォーム歯車
４２…雄ねじ                        ４４…雌ねじ
５４…カセッテ（容器）              ５６…カセッテ本体
５８…蓋体                          ６０…溝
６４…集光ガイド                    ６６…フォトマルチプライヤ
６８…反射鏡                        ７２…レーザ光源
７６…光源収容ボックス              ８２…案内部材
８８…ボールねじ                    ９０…リニアガイド
９４、９６…連結部材                Ｌ…レーザ光
Ｓ…蓄積性蛍光体シート
【図１】
0003903102.tif 000002
【図２】
0003903102.tif 000003
【図３】
0003903102.tif 000004
【図４】
0003903102.tif 000005
【図５】
0003903102.tif 000006